(57)【特許請求の範囲】
【請求項１】
ワンウェイクラッチ付きギヤからなるアップ用、ダウン用のラチェットギヤが、出力軸周りに、そのロック回転方向への一体回転を可能にそれぞれ係着配置されるとともに、このラチェットギヤに噛合可能なアップ用、ダウン用の爪片を対応する段差位置に一体的に有したラチェット爪体が、駆動レバーにより駆動される入力軸周りに一体係着されてなるラチェット式レバー機構において、
少なくともいずれか一方の平行段差曲げによりなる二股段差片を持った平面略二股形状の二股プレートが、ラチェットギヤに噛合可能なアップ用、ダウン用の爪片をその二股段差片に有して形成されるとともに、
この二股プレートに設けられた所定継手形状の軸孔に、対応継手形状の入力軸を挿入して組み合わせ、これをカシメのもとで一体的に係着させることにより、前記ラチェット爪体が形成されたことを特徴とするラチェット式レバー機構。
【請求項２】
入力軸の継手形状を介して、駆動レバーがこの入力軸に一体回動可能に連結、固着された請求項１記載のラチェット式レバー機構。
【請求項３】
駆動レバーをニュートラル位置に付勢、保持する、ねじりばねからなるリターンばねが、入力軸に環装配置され、このリターンばねの各端末の係合される係合片が、二股プレートと共に入力軸に一体係着されたサポートプレートの折曲片として、入力軸と一体回動可能に設けられた請求項１または２記載のラチェット式レバー機構。
【請求項４】
ストッパ片を、サポートプレートの折曲片として入力軸と一体回動可能に設け、このストッパ片の係合可能なストッパ受片を、入力軸の組み付けられるユニットベースの対応箇所に設けることにより、駆動レバーの回動範囲を規定可能とした請求項３記載のラチェット式レバー機構。
【発明の詳細な説明】
【０００１】
【発明の属する技術分野】
この発明は、シートリフターの駆動機構として設けられるラチェット式レバー機構、特にワンウェイクラッチ付きギヤからなるアップ用、ダウン用のラチェットギヤをその出力軸に段差配置してなるラチェット式レバー機構に関する。
【０００２】
【従来の技術】
シートを昇降可能に支持する、いわゆるシートリフターの駆動機構として、たとえば、対応する一回動方向のみの駆動力をその出力軸に伝達、出力可能とした、いわゆるラチェット式レバー機構が提供されている。そして、この種のラチェット式レバー機構として、ワンウェイクラッチ付きギヤからなるアップ用、ダウン用一対のラチェットギヤを、たとえばブレーキユニットの制動軸に連結される出力軸上に、そのロック回転方向を異にして段差配置した、たとえば特開2000−255295公報に開示のような構成が知られている。
【０００３】
この特開2000−255295公報に開示されたラチェット式レバー機構においては、アップ用、ダウン用のラチェットギヤに噛合可能なアップ用、ダウン用の爪片を、その対応する段差位置に有したラチェット爪体が、駆動レバーにより駆動される入力軸周りに一体係着されている。そして、駆動レバーの回動方向に対応した爪片を、その対応するアップ用、ダウン用のラチェットギヤに噛合させ、これをさらに回動させることにより対応ラチェットギヤのロック回転方向への出力回転を出力軸に発生させるものとして、この公知のラチェット式レバー機構は構成されている。
【０００４】
【発明が解決しようとする課題】
ところで、前出の特開2000−255295公報に開示のように、一体的なラチェット式レバー機構におけるラチェット爪体は、通常、アップ用、ダウン用の爪片をその段差位置に配した鋳造物として一体成形されている。詳細にいうと、別体の入力軸、およびアップ用、ダウン用の爪片を、鋳型内に装着し、これを一体鋳造することにより、公知のラチェット爪体は成形されている。
【０００５】
しかしながら、このような別部材を組み合わせる一体鋳造は、その製造工程を複雑化させやすいため、製造コストの増大化を伴うことが避けられない。
【０００６】
また、鋳造による部品成形は、その寸法精度等の安定性に劣りやすいことから、生産性の低下に伴うコストの増大化をも招きやすい。
【０００７】
この発明は、ラチェット爪体の製造の容易化、および生産性の向上をはかることにより、その全体的なコストの低減化を可能とするラチェット式レバー機構の提供を目的としている。
【０００８】
【課題を解決するための手段】
この目的を達成するために、この発明の請求項１に示すラチェット式レバー機構においては、少なくともいずれか一方の平行段差曲げによりなる二股段差片を持った平面略二股形状の二股プレートが、ラチェットギヤに噛合可能なアップ用、ダウン用の爪片をその二股段差片に有して形成される。そして、この二股プレートに設けられた所定継手形状の軸孔に、対応継手形状の入力軸を挿入して組み合わせ、これをカシメのもとで一体的に係着させたものを、ワンウェイクラッチ付きギヤからなるアップ用、ダウン用のラチェットギヤに対応するラチェット爪体として使用するものとしている。
【０００９】
また、この発明の請求項２においては、入力軸の継手形状を介して、駆動レバーがこの入力軸に一体回動可能に連結、固着されている。
【００１０】
さらに、この発明の請求項３においては、駆動レバーをニュートラル位置に付勢、保持する、ねじりばねからなるリターンばねが、入力軸に環装配置され、このリターンばねの各端末の係合される係合片が、二股プレートと共に入力軸に一体係着されたサポートプレートの折曲片として、入力軸と一体回動可能に設けられている。
【００１１】
そして、この発明の請求項４においては、ストッパ片を、サポートプレートの折曲片として入力軸と一体回動可能に設け、このストッパ片の係合可能なストッパ受片を、入力軸の組み付けられるユニットベースの対応箇所に設けることにより、駆動レバーの回動範囲を規定可能としている。
【００１２】
【発明の実施の形態】
以下、図面を参照しながらこの発明の実施の形態について詳細に説明する。
【００１３】
図１、図２に示すように、この発明に係るラチェット式レバー機構10においては、ワンウェイクラッチ付きギヤからなるアップ用、ダウン用のラチェットギヤ12-u,12-dが、出力軸14周りに、そのロック回転方向への一体回転を可能にそれぞれ係着配置されるとともに、このラチェットギヤに噛合可能なアップ用、ダウン用の爪片16-u,16-dをその対応する段差位置に有したラチェット爪体18が、駆動レバー20との一体回動を可能に設けられている。
【００１４】
以下、このラチェット式レバー機構10の概略を説明する。
【００１５】
アップ用、ダウン用のラチェットギヤ12-u,12-dとして用いられるワンウェイクラッチ付きギヤは、いずれも内輪12aを伴う外輪12bの回転方向、つまりロック回転方向を一方向のみに限定した公知のものであり、ロック回転方向を相反する方向、つまり異にして、たとえばセレーション等の継手の係着により、出力軸14周りに、内輪の一体回転を可能に環装配置される。
【００１６】
この出力軸14は、たとえば、ブレーキユニットの制動軸（図示しない）との連結、係着を可能とする軸受14aを、その一端（図中下端）に有して形成され、図３に示すように、ユニットベース24とユニットカバー26との間に、回転自在に軸支、保持される。そして、ラチェット爪体18が、ユニットベース24とユニットカバー26との間での、出力軸14との軸線の平行位置に、回動自在に軸支、保持されている。
【００１７】
図１、および図３に示すように、このラチェット爪体18は、その回動中心となる入力軸22を一体的に有している。そして、駆動レバー20を、この入力軸22に一体回動可能に係着することによって、駆動レバーによる爪片16-u,16-dの駆動、ひいては出力軸14への操作力の伝達、出力が可能となっている。
【００１８】
この種のラチェット式レバー機構10においては、図２に示すような、ラチェットギヤ12-u,12-dへの爪片16-u,16-dの非噛合位置が、駆動レバー20の初期位置（ニュートラル位置）として規定され、後述するリターンばね27の付勢力のもとで、そのニュートラル位置に付勢、保持されている。そして、このニュートラル位置からの駆動レバー20の回動、つまり上方となる図中時計方向、および下方となる図中反時計方向への駆動レバーの回動により、対応するラチェットギヤ12-u,12-dを、爪片16-u,16-dとの噛合のもとでロック回転方向に回転させるものとして、このラチェット式レバー機構10は概略構成されている。
【００１９】
ここで、図２に加えて図４を見るとわかるように、この発明のラチェット式レバー機構10においては、アップ用、ダウン用の爪片16-u,16-dを段差位置に有したラチェット爪体18が、たとえば一方の平行段差曲げによりなる二股段差片28a-u,28a-dを持つ平面略二股形状の二股プレート28と、この二股プレートの回動中心に一体的に係着された入力軸22との組み合わせとして形成されている。
【００２０】
この二股プレート28においては、たとえば二股段差片28a-uが基準とされ、アップ用、ダウン用のラチェットギヤ12-u,12-d間の段差に対応するだけの段差を他方の二股段差片28a-dとの間に設けるべく、その相互間を平行とする平行段差曲げにより、この他方の二股段差片28a-dが、基準の二股段差片28a-uに対して段差付けされている（図３参照）。そして、図１、および図２に示すように、アップ用のラチェットギヤ12-uに噛合可能な爪片16-uがこの基準となる二股段差片28a-uに、また、ダウン用のラチェットギヤ12-dに噛合可能な爪片16-dがその段差位置にある二股段差片28a-dに、それぞれ形成されている。
【００２１】
図３、および図４を見るとわかるように、この二股プレート28は、所定継手形状の軸孔30を有して形成されている。そして、対応継手形状に形成された入力軸22の小径半部22aをこの軸孔30に挿入して組み合わせ、これをカシメのもとで一体的に係着させたものを、アップ用、ダウン用のラチェットギヤ12-u,12-dに対応するラチェット爪体18とするものとして、この発明においては構成されている。
【００２２】
二股プレートの軸孔30、および入力軸22の継手形状としては、たとえばスプライン継手が例示でき、この継手間の係着のもとで、二股プレート、および入力軸の一体回動が確保可能となっている。そして、この発明においては、この挿入、係着後における、たとえば軸孔周辺部の部分的なカシメのもとで、二股プレート28を入力軸22に一体的に係着させている。
【００２３】
なお、図２、図３に示すように、このラチェット爪体18は、出力軸14との平行位置で、入力軸22を、たとえばこの出力軸と同様にユニットベース24とユニットカバー26との間に回動自在に軸支、保持することにより配設される。
【００２４】
そして、駆動レバー20は、この入力軸22に対し、たとえばその継手形状を利用した係着、およびそのねじ止め等により、一体回動可能に連結、固着される。
【００２５】
このように、この発明のラチェット式レバー機構10においては、アップ用、ダウン用のラチェットギヤ12-u,12-dに噛合可能なアップ用、ダウン用の爪片16-u,16-dが、二股プレートの二股段差片28a-u,28a-dにそれぞれ設けられている。そして、この二股プレート28は、一方の二股段差片28a-dを平行段差曲げにしたプレス加工品として得られ、これを入力軸22に部分的なカシメのもとで一体的に固着すれば足りるため、この発明によれば、一体鋳造による製造工程を伴うことなく、アップ用、ダウン用のラチェットギヤ12-u,12-dに対応した段差の爪片16-u,16-dを、ラチェット爪体18に一体に設けることが容易に可能となる。
【００２６】
つまり、この発明によれば、ラチェット爪体18が、プレス加工等を主体とした製造工程のもとで得られるため、その製造工程の簡素化が十分にはかられる。そして、プレス加工によれば、その寸法精度の安定化、高精度化が容易に得られるため、その生産性の向上が確実にはかられる。
【００２７】
従って、ラチェット爪体18のコストの低減、ひいてはラチェット式レバー機構10のコストの低減が、この発明によれば十分に可能となる。
【００２８】
なお、上述したこの発明の実施の形態においては、二股プレートの軸孔30、および入力軸22の継手形状として、たとえばスプライン継手を例示しているが、入力と二股プレート28との一体回動を確実、かつ容易とする非円形の継手形状であれば足りるため、これに限定されず、たとえば、セレーション等の他の継手形状を利用するものとしてもよい。
【００２９】
また、この実施の形態においては、駆動レバー20を、入力軸22に対し、その小径半部22aの継手形状を利用することにより一体回動可能に係着しているが、入力軸との一体回動を確実、かつ容易に確保可能とすれば足りるため、これに限定されず、たとえば、止めねじの二点止め等によって、入力軸との駆動レバーの確実な一体回動を得る構成としてもよい。
【００３０】
しかしながら、入力軸22の継手形状を利用して、入力軸と駆動レバー20とを一体回動可能に係着すれば、そのねじ止め箇所が１ヶ所で足りるため、部品点数の低減、およびその作業性の向上が確実にはかられる。
【００３１】
さらに、この実施の形態においては、ダウン用の爪片16-dの形成された二股段差片28a-dが、アップ用の爪片16-uを有する二股段差片28a-uに対し、その平行段差曲げのもとで段差付けされているが、二股段差片28a-u,28a-dの双方をアップ用、ダウン用のラチェットギヤ12-u,12-dのそれぞれに整列させる段差付けがなされれば足りるため、これに限定されず、たとえばアップ用の爪片16-uの設けられる二股段差片28-uを平行段差曲げにより段差付けする、あるいは二股段差片28a-u,28a-dの双方を平行段差曲げにより段差付けする等によって、二股プレートの二股段差片28a-u,28a-dを、アップ用、ダウン用のラチェットギヤのそれぞれに整列させる構成としてもよい。
【００３２】
ここで、図１、および図３に示すように、この発明の実施の形態においては、駆動レバー20をそのニュートラル位置に付勢、保持するリターンばね27として、たとえば、入力軸22の大径半部22bに環装配置したねじりばねを例示している。
【００３３】
リターンばね（ねじりばね）27は、入力軸22に一体的に設けられた係合片34aと、ユニットベースの係合片24aとにその端末27aをそれぞれ係合可能に形成され、これによる付勢力の発生、伝達のもとで、ニュートラル位置への駆動レバー20の付勢、保持を可能に構成されている。
【００３４】
そして、この発明においては、入力軸の係合片34aが、サポートプレート34の折曲片として形成され、入力軸の継手形状を利用した入力軸周りでのサポートプレートの一体係着、および入力軸の大径半部22bと二股プレート28との間におけるこのサポートプレートの一体的な挟持により、入力軸に対して一体的に設けられている。
【００３５】
この形状のサポートプレート34も、上述した二股プレート28と同様にプレス加工のもとで形成、確保できる。つまり、係合片34aを一体的に有するラチェット爪体18が、構成の複雑化、および製造工程の複雑化等を伴うことなく形成できるため、この点からも、このラチェット爪体の製造の容易化、および生産性の向上等が確実にはかられる。
【００３６】
また、図２ないし図４に示すように、このサポートプレート34には、ユニットベース24の一対のストッパ受片36に係合可能なストッパ片24bを、その折曲片として一体に形成することも可能である。
【００３７】
このような構成によれば、この一対のストッパ受片36間でのストッパ片24bの移動範囲を、駆動レバー20の回動範囲として規定できる。そして、このようにストッパ片24b、およびストッパ受片36によって駆動レバー20の回動範囲を規定すれば、ラチェットギヤ12-u,12-dからの爪片16-u,16-dの離脱のない適切なレバー操作が、構成の複雑化等を伴うことなく容易に確保できるため、この点においても、そのコストの低減が容易にはかられる。
【００３８】
上述した実施の形態は、この発明を説明するためのものであり、この発明を何等限定するものでなく、この発明の技術範囲内で変形、改造等の施されたものも全てこの発明に包含されることはいうまでもない。
【００３９】
【発明の効果】
上記のように、この発明に係るラチェット式レバー機構によれば、少なくともいずれか一方の平行段差曲げによりなる、二股プレートの二股段差片に、アップ用、ダウン用のラチェットギヤに噛合可能な爪片をそれぞれ形成すれば足りるため、段差位置にあるアップ用、ダウン用の爪片を、この二股プレートのプレス成形により得ることが可能となる。そして、この二股プレートを、入力軸に対し、一体回動可能に係着すれば足りるため、アップ用、ダウン用の爪片をその段差位置に有したラチェット爪体が、プレス加工等を主体とした製造工程のもとで得られる。
【００４０】
従って、その製造工程の簡素化が十分にはかられ、かつその寸法精度の安定化、高精度化が容易に得られることによりその生産性の向上が確実にはかられることから、ラチェット爪体のコストの低減、ひいてはラチェット式レバー機構のコストの低減が、この発明によれば十分に可能となる。
【００４１】
また、入力軸の継手形状を利用して、入力軸と駆動レバーとを一体回動可能に連結、固着すれば、そのねじ止め等による固定箇所が１ヶ所で足りるため、部品点数の低減、およびその作業性の向上が確実にはかられる。
【００４２】
さらに、リターンばねの端末の係合される入力軸側の係合片を、入力軸に一体的に設けたサポートプレートの折曲片として形成すれば、係合片を一体的に有するラチェット爪体が、構成の複雑化、および製造工程の複雑化等を伴うことなく形成できる。従って、この点からも、このラチェット爪体の製造の容易化、および生産性の向上等が確実にはかられる。
【００４３】
そして、一対のストッパ受片に係合可能なストッパ片を、その折曲片としてサポートプレートに一体に形成すれば、一対のストッパ受片間でのストッパ片の移動範囲が、駆動レバーの回動範囲として規定でき、また、ストッパ片、およびストッパ受片によって駆動レバーの回動範囲を規定すれば、ラチェットギヤからの爪片の離脱のない適切なレバー操作が、構成の複雑化等を伴うことなく容易に確保できるため、この点においても、そのコストの低減が容易にはかられる。
【図面の簡単な説明】
【図１】この発明に係るラチェット式レバー機構の、一部構成部材の概略分解斜視図である。
【図２】ラチェット式レバー機構の概略平面図である。
【図３】ラチェット式レバー機構の、一部破断の概略側面図である。
【図４】ラチェット式レバー機構における、ラチェット爪体の分解斜視図である。
【符号の説明】
10  ラチェット式レバー機構
12-u,12-d ラチェットギヤ
14  出力軸
16-u,16-d 爪片
18  ラチェット爪体
20  駆動レバー
22  入力軸
27  リターンばね
34  サポートプレート
34a 係合片
34b ストッパ片
【図１】
0003739718.tif 000002
【図２】
0003739718.tif 000003
【図３】
0003739718.tif 000004
【図４】
0003739718.tif 000005